(57)【要約】      （修正有）【課題】長さの調整が可能な自動折り畳み式モップホルダーを提供する。【解決手段】長さの調整が可能な自動折り畳み式モップホルダーは、払拭体を取り付けることができ、折り畳みによりモップの長さを調整可能なホルダーであり、ハンドル先１の端に固定棒２が枢着され、固定棒２の先端に少なくとも１つの連結部材３，３ａが枢着され、前記連結部材を介して折り畳み棒４が枢着され、前記固定棒２内に支持棒５が摺動可能に設置され、かつ支持棒５と折り畳み棒の間に可撓性部材６が連接され、前記連結部材を通過して前記支持棒５を折り畳み棒に挿入し、前記折り畳み棒４、連結部材、固定棒２の間を直線状態にしてホルダーを長くすることができ、かつ支持棒５を固定棒２内に戻して前記折り畳み棒４、連結部材、固定棒２の間を重ね合わせた状態にしてホルダーを短くすることもでき、使用上の利便性を向上した。【選択図】図１
0003183849.tif 000002
【実用新案登録請求の範囲】
【請求項１】
長さの調整が可能な自動折り畳み式モップホルダーであって、ハンドルと、固定棒と、折り畳み棒と、少なくとも１つの連結部材と、支持棒と、可撓性部材を含み、
前記固定棒が、両端に枢設部及び前記ハンドルの連結に用いる嵌着部をそれぞれ備え、かつ内部に前記枢設部および嵌着部の間を連通するガイド通路が形成され、前記ガイド通路の前記枢設部箇所に前記ガイド通路の軸方向に沿った通口が形成され、前記嵌着部箇所に前記ガイド通路の径方向に沿ったストローク溝が形成され、
前記折り畳み棒が前記通口前方に位置し、両端に軸着部と末端部がそれぞれ形成され、前記軸着部に前記通口方向に向かって開放された嵌入槽が形成され、
前記少なくとも１つの連結部材が、両側に前記枢設部に枢着される第１軸部と、前記軸着部に枢着される第２軸部をそれぞれ備え、前記第１軸部と第２軸部の間に前記通口と嵌入槽に対応して連通される貫通溝が設けられ、
前記支持棒が前記ガイド通路内に摺動可能に設置され、使用者が手で押し動かすことができるように前記ストローク溝から外部に露出されたプッシュ部を備え、使用者が前記プッシュ部を押して該支持棒を前記枢設部の方向または前記嵌着部の方向に移動させることができ、
前記可撓性部材が前記支持棒と折り畳み棒の間に連接され、前記支持棒を前記枢設部の方向に移動させ、前記貫通溝を介して前記嵌入槽に挿入すると、前記折り畳み棒、連結部材、固定棒の間が直線状態になり、前記ホルダーを長くすることができ、前記支持棒を前記嵌着部の方向に移動させると、前記可撓性部材が前記折り畳み棒と連結部材を牽引して前記嵌着部の方向に揺動させ、前記折り畳み棒、連結部材、固定棒の間が重ね合わされた状態になり、前記ホルダーを短くすることができることを特徴とする、
長さの調整が可能な自動折り畳み式モップホルダー。
【請求項２】
前記嵌着部がハンドルの方向に開放された収容部を備え、前記収容部内壁に２つの相互に対称で外部に連通された端口が形成され、前記ハンドルの一端に収容部内に嵌置され、かつ相互に対称な２つの連結部が設けられ、前記連結部が前記端口にそれぞれ弾性的に挿入されて外部に露出されることを特徴とする、請求項１に記載の長さの調整が可能な自動折り畳み式モップホルダー。
【請求項３】
前記第１軸部に前記折り畳み棒が折り返される方向に向いた第１斜面が形成され、前記第２軸部に前記折り畳み棒が折り返される方向に向いた第２斜面が形成され、前記枢設部に前記折り畳み棒が折り返される方向に向いた第３斜面が形成され、前記軸着部に前記折り畳み棒が折り返される方向に向いた第４斜面が形成され、前記第１斜面が前記連結部材に伴い前記嵌着部方向に揺動されて前記第３斜面に当接され、前記第４斜面が前記折り畳み棒に伴い前記嵌着部方向に揺動されて前記第２斜面に当接されることを特徴とする、請求項１に記載の長さの調整が可能な自動折り畳み式モップホルダー。
【請求項４】
前記通口が前記第３斜面上に形成され、前記嵌入槽が前記第４斜面上に形成され、前記貫通溝が前記第１斜面と第２斜面の間に連通されることを特徴とする、請求項３に記載の長さの調整が可能な自動折り畳み式モップホルダー。
【請求項５】
前記連結部材が複数であり、そのうち１つの連結部材の第１斜面が前記嵌着部方向に揺動されて別の連結部材の第２斜面に当接されることを特徴とする、請求項３に記載の長さの調整が可能な自動折り畳み式モップホルダー。
【請求項６】
前記プッシュ部が前記枢設部または嵌着部の方向に移動可能であり、前記ストローク溝が前記嵌着部から離れた第１位置と、前記嵌着部に近い第２位置を備え、かつ前記プッシュ部の側面に凸部が形成され、前記ストローク溝の前記第１位置に前記ガイド通路に垂直かつ連通された第１ガイド溝が形成され、前記ストローク溝の第２位置に前記ガイド通路に垂直かつ連通された第２ガイド溝が形成され、前記凸部を前記ガイド通路から前記第１ガイド溝または第２ガイド溝に嵌入させて、前記プッシュ部の上下移動をガイドできることを特徴とする、請求項１に記載の長さの調整が可能な自動折り畳み式モップホルダー。
【請求項７】
前記支持棒上の前記プッシュ部近くの位置に凹陥した弾性湾曲部が形成され、使用者が手で前記プッシュ部を押して前記支持棒を前記湾曲部に沿って弾性的に湾曲させて前記凸部を下に移動させ、前記第１ガイド溝または第２ガイド溝から離脱させることができ、使用者が前記プッシュ部から手を離すと、前記支持棒が前記湾曲部に沿って弾性的に元の状態を回復し、かつ前記凸部を上に移動させて前記第１ガイド溝または第２ガイド溝に嵌入させることを特徴とする、請求項６に記載の長さの調整が可能な自動折り畳み式モップホルダー。
【請求項８】
前記可撓性部材が前記折り畳み棒の嵌入槽内に連接され、かつ前記貫通溝、通口、ガイド通路を介して前記支持棒に連接されることを特徴とする、請求項１に記載の長さの調整が可能な自動折り畳み式モップホルダー。
【請求項９】
前記固定棒、連結部材、折り畳み棒に払拭体が取り付けられ、前記払拭体が前記固定棒、連結部材、折り畳み棒上に取り付けられるカバー体を備え、かつ前記カバー体の底面に房糸層または布片層が設けられたことを特徴とする、請求項１に記載の長さの調整が可能な自動折り畳み式モップホルダー。
【請求項１０】
前記末端部が前方に延伸された２つの分岐棒を備え、前記カバー体が内部に収容空間を備え、前記収容空間の一端の前記カバー体端部に前記折り畳み棒、連結部材、固定棒を出し入れするための取付口が形成され、前記収容空間の他端に２つの前記分岐棒を挿入するための分岐ポケットが間を隔てて形成されたことを特徴とする、請求項９に記載の長さの調整が可能な自動折り畳み式モップホルダー。
【考案の詳細な説明】
【技術分野】
【０００１】
本考案は払拭体を取り付け、かつ折り畳むことによりモップの長さを変えることができるホルダーに関し、特に、ホルダーを構成するハンドル、固定棒、連結部材、折り畳み棒、支持棒、可撓性部材に特徴を有する、長さの調整が可能な自動折り畳み式モップホルダーに関する。
【背景技術】
【０００２】
現有のモップは主に、埃を吸着する能力を備えた払拭体と、払拭体を広げて固定するために用いるホルダーから構成され、且つ払拭体は表面には房糸または布片層を備えている。
使用前に、ホルダーの先端部を払拭体に設けられた内部空間に挿入し、払拭体の後端部をホルダー中段部に設けられた逆さフック上に掛止すると、払拭体を開いてまっすぐにすることができる。使用者がホルダーの後端部を手に持って動かすと、払拭体表面の房糸または布片層に埃を吸着させることができる。払拭体が汚れたら、払拭体を直接ホルダーから取り外し、新しい払拭体に交換すればよく、環境保護の要求を満たすことができる。
【０００３】
また、前述のモップの払拭体が埃を吸着する効果は、主に２種類のルートを通して達せられている。一つは房糸層の繊維構造を利用して埃を吸着するルート、もう一つは房糸層が持つ正電荷を利用して負電荷を持つ埃を吸引するルートである。
【０００４】
現在市販されているモップには長いものと短いものがあり、長いモップは大きな面積の表面の清掃に有利であるが、複雑な表面の清掃には不利である。反対に、短いモップは複雑な表面の清掃には有利であるが、大きな面積の表面の清掃には不利である。
このほか、前述の房糸または布片層はほとんどが払拭体の上表面と下表面に平均的に設けられているため、ホルダーの四周が房糸または布片で囲まれ、各種死角内の埃の清掃に有利であるが、モップに一定の厚みを生じ、狭い隙間に入り込ませて清掃することが困難である。
【０００５】
そのため、市販されているものには払拭体の片面に房糸または布片層を設けたモップもあり、これはモップの厚みを効果的に小さくし、狭い隙間に入り込ませて清掃するときに有利であるが、両面に房糸または布片層を備えたモップが本来持つ、各種死角の埃を清掃する際に有利である能力が失われる。
【考案の概要】
【考案が解決しようとする課題】
【０００６】
本考案の目的は、上述の先行技術において、従来のモップの、大きい面積の表面を清掃する能力と複雑な表面を清掃する能力を兼ね備えることが困難であるという問題点を克服すると共に、従来のモップが各種の死角の埃を清掃する能力と、狭い隙間に入り込んで清掃する能力を兼ね備えることが困難である問題を克服するために、払拭体を取り付け、かつ折り畳むことでモップの長さを変えることができるホルダーを提供することにある。
【課題を解決するための手段】
【０００７】
上述の目的を達するため、本願の第１考案は、長さの調整が可能な自動折り畳み式モップホルダーであって、ハンドルと、固定棒と、折り畳み棒と、少なくとも１つの連結部材と、支持棒と、可撓性部材を含み、前記固定棒が、両端に枢設部及び前記ハンドルの連結に用いる嵌着部をそれぞれ備え、かつ内部に前記枢設部および嵌着部の間を連通するガイド通路が形成され、前記ガイド通路の前記枢設部箇所に前記ガイド通路の軸方向に沿った通口が形成され、前記嵌着部箇所に前記ガイド通路の径方向に沿ったストローク溝が形成され、前記折り畳み棒が前記通口前方に位置し、両端に軸着部と末端部がそれぞれ形成され、前記軸着部に前記通口方向に向かって開放された嵌入槽が形成され、前記少なくとも１つの連結部材が、両側に前記枢設部に枢着される第１軸部と、前記軸着部に枢着される第２軸部をそれぞれ備え、前記第１軸部と第２軸部の間に前記通口と嵌入槽に対応して連通される貫通溝が設けられ、前記支持棒が前記ガイド通路内に摺動可能に設置され、使用者が手で押し動かすことができるように前記ストローク溝から外部に露出されたプッシュ部を備え、使用者が前記プッシュ部を押して該支持棒を前記枢設部の方向または前記嵌着部の方向に移動させることができ、前記可撓性部材が前記支持棒と折り畳み棒の間に連接され、前記支持棒を前記枢設部の方向に移動させ、前記貫通溝を介して前記嵌入槽に挿入すると、前記折り畳み棒、連結部材、固定棒の間が直線状態になり、前記ホルダーを長くすることができ、前記支持棒を前記嵌着部の方向に移動させると、前記可撓性部材が前記折り畳み棒と連結部材を牽引して前記嵌着部の方向に揺動させ、前記折り畳み棒、連結部材、固定棒の間が重ね合わされた状態になり、前記ホルダーを短くすることができることを特徴とする、長さの調整が可能な自動折り畳み式モップホルダーを提供する。
【０００８】
また、前記固定棒、連結部材、折り畳み棒上に房糸または複数の布片を備えた払拭体を取り付けることができ、折り畳み棒を調整してホルダーを長くしたときは、前記房糸層または布片層が前記固定棒、連結部材、折り畳み棒の一側の表面に位置し、払拭体を利用して大きな面積の表面を清掃することができる。
これと同時に、房糸層または布片層を前記固定棒、連結部材、折り畳み棒とともに狭く細い隙間に入り込ませて有利に清掃を行うことができ、折り畳み棒を調整してホルダーを短くしたときは、前記房糸層または布片層がホルダーの両側表面に位置し、ホルダーの四周を房糸または複数の布片で覆い、払拭体を利用して複雑な表面を清掃することができ、各種死角内の埃を有効に清掃することができる。
【０００９】
更に、本考案のホルダーは、支持棒のプッシュ部を制御して折り畳み棒を自動で往復揺動させることができ、かつ折り畳み棒の揺動角度を調整してホルダーの長さを変えることができる。
このため、折り畳み式の構造を利用してモップのホルダー長さを調整するという目的を達し、従来のモップが大きな面積の表面と複雑な表面を清掃する能力を兼ね備えることが困難である問題、および各種死角の埃の清掃と狭く細い隙間に入り込ませた清掃を行う能力を兼ね備えることが困難であるという問題を克服し、使用上の利便性を向上することができる。
このほか、払拭体が汚れた後は、前記ハンドル、固定棒、連結部材、折り畳み棒をとっておき、新しい払拭体に交換すればよいため、環境保護の要求も満たすことができる
【００１０】
本願の第２考案は、前記嵌着部がハンドルの方向に開放された収容部を備え、前記収容部内壁に２つの相互に対称で外部に連通された端口が形成され、前記ハンドルの一端に収容部内に嵌置され、かつ相互に対称な２つの連結部が設けられ、前記連結部が前記端口にそれぞれ弾性的に挿入されて外部に露出され、これにより前記連結部を押すとハンドルの一端を収容部から離脱させ、ハンドルを交換することができる、前記第１考案の長さの調整が可能な自動折り畳み式モップホルダーを提供する。
【００１１】
本願の第３考案は、前記第１軸部に前記折り畳み棒が折り返される方向に向いた第１斜面が形成され、前記第２軸部に前記折り畳み棒が折り返される方向に向いた第２斜面が形成され、前記枢設部に前記折り畳み棒が折り返される方向に向いた第３斜面が形成され、前記軸着部に前記折り畳み棒が折り返される方向に向いた第４斜面が形成され、前記第１斜面が前記連結部材に伴い前記嵌着部方向に揺動されて前記第３斜面に当接され、前記第４斜面が前記折り畳み棒に伴い前記嵌着部方向に揺動されて前記第２斜面に当接されることを特徴とする、前記第１考案の長さの調整が可能な自動折り畳み式モップホルダーを提供する。
【００１２】
本願の第４考案は、前記通口が前記第３斜面上に形成され、前記嵌入槽が前記第４斜面上に形成され、前記貫通溝が前記第１斜面と第２斜面の間に連通されることを特徴とする、前記第３考案の長さの調整が可能な自動折り畳み式モップホルダーを提供する。
【００１３】
本願の第５考案は、前記連結部材が複数であり、そのうち１つの連結部材の第１斜面が前記嵌着部方向に揺動されて別の連結部材の第２斜面に当接されることを特徴とする、前記第３考案の長さの調整が可能な自動折り畳み式モップホルダーを提供する。
【００１４】
本願の第６考案は、前記プッシュ部が前記枢設部または嵌着部の方向に移動可能であり、前記ストローク溝が前記嵌着部から離れた第１位置と、前記嵌着部に近い第２位置を備え、かつ前記プッシュ部の側面に凸部が形成され、前記ストローク溝の前記第１位置に前記ガイド通路に垂直かつ連通された第１ガイド溝が形成され、前記ストローク溝の第２位置に前記ガイド通路に垂直かつ連通された第２ガイド溝が形成され、前記凸部を前記ガイド通路から前記第１ガイド溝または第２ガイド溝に嵌入させて、前記プッシュ部の上下移動をガイドできることを特徴とする、前記第１考案の長さの調整が可能な自動折り畳み式モップホルダーを提供する。
【００１５】
本願の第７考案は、前記支持棒上の前記プッシュ部近くの位置に凹陥した弾性湾曲部が形成され、人が手で前記プッシュ部を押して前記支持棒を前記湾曲部に沿って弾性的に湾曲させて前記凸部を下に移動させ、前記第１ガイド溝または第２ガイド溝から離脱させることができ、人が前記プッシュ部から手を離すと、前記支持棒が前記湾曲部に沿って弾性的に元の状態を回復し、かつ前記凸部を上に移動させて前記第１ガイド溝または第２ガイド溝に嵌入させることを特徴とする、前記第６考案の長さの調整が可能な自動折り畳み式モップホルダーを提供する。
【００１６】
本願の第８考案は、前記可撓性部材が前記折り畳み棒の嵌入槽内に連接され、かつ前記貫通溝、通口、ガイド通路を介して前記支持棒に連接されることを特徴とする、前記第１考案の長さの調整が可能な自動折り畳み式モップホルダーを提供する。
【００１７】
本願の第９考案は、前記払拭体が前記固定棒、連結部材、折り畳み棒上に取り付けられるカバー体を備え、かつ前記カバー体の底面に房糸層または布片層が設けられたことを特徴とする、前記第１考案の長さの調整が可能な自動折り畳み式モップホルダーを提供する。
【００１８】
本願の第１０考案は、前記末端部が前方に延伸された２つの分岐棒を備え、前記カバー体が内部に収容空間を備え、前記収容空間の一端の前記カバー体端部に前記折り畳み棒、連結部材、固定棒を出し入れするための取付口が形成され、前記収容空間の他端に２つの前記分岐棒を挿入するための分岐ポケットが間を隔てて形成されたことを特徴とする、前記第９考案の長さの調整が可能な自動折り畳み式モップホルダーを提供する。
【図面の簡単な説明】
【００１９】
【図１】本考案の最良の実施例の立体図である。
【図２】図１の立体分解図である。
【図３】図１の実施例の正面図である。
【図４】図３の俯瞰図である。
【図５】図４のＡ−Ａ線の断面図である。
【図６】図５の使用状態を示す断面図である。
【図７】図５の部分拡大断面図である。
【図８】図５の別の部分拡大断面図である。
【図９】図７の使用状態を示す断面図である。
【図１０】図８の使用状態を示す断面図である。
【図１１】図７の別の使用状態を示す断面図である。
【図１２】図８の別の使用状態を示す断面図である。
【図１３】図６の部分拡大断面図である。
【図１４】図６の別の部分拡大断面図である。
【図１５】図１の使用状態を示す立体図である。
【図１６】図１の別の使用状態を示す立体図である。
【図１７】図１の追加実施形態の立体図である。
【図１８】図１７の実施例の配置を示す俯瞰図である。
【考案を実施するための形態】
【００２０】
以下、本考案の実施例について図面を参照しながら説明する。
【実施例１】
【００２１】
図１に本考案の最良の実施例の立体図を示す。合わせて図２から図８を参照する。本考案の長さの調整が可能な自動折り畳み式モップホルダーは、ハンドル１、固定棒２、折り畳み棒４、少なくとも１つの連結部材３、支持棒５、可撓性部材６を含む。
【００２２】
ここで、前記ハンドル１は中空の長細い円筒形態とすることができ、かつハンドル１は両端に２つの相互に対称な連結部１１及び吊り下げ孔１２がそれぞれ形成され、ハンドル１の吊り下げ孔１２により前記ホルダーを高所に吊り下げることができる。
【００２３】
前記固定棒２は扁平な細板状とすることができ、かつ固定棒２は両端に枢設部２１と、ハンドル１の前記連結部１１の結合に供する嵌着部２２がそれぞれ形成され、かつ固定棒２内に前記枢設部２１と嵌着部２２の間を連通するガイド通路２３が形成される。
前記ガイド通路２３は枢設部２１において前記ガイド通路２３の軸方向に沿って通口２４が形成され、かつ嵌着部２２において前記ガイド通路２３の径方向に沿ってストローク溝２５が形成される。
【００２４】
前記嵌着部２２はハンドル１の方向に開放され、かつ前記ガイド通路２３とストローク溝２５に連通された収容部２６を備え、かつ収容部２６の内壁に２つの相互に対称で嵌着部２２の外壁を介して外部に連通された端口２７が形成される。
前記連結部１１は収容部２６内に嵌置され、端口２７にそれぞれ弾性的に嵌入させて外部に露出させることができる。これにより、前記連結部１１を押すと連結部１１を端口２４から離脱させ、前記連結部１１を収容部２６から離脱させてハンドル１の交換を便利に行うことができる。
【００２５】
前記折り畳み棒４は扁平な細板状とすることができ、固定棒２の通口２４前方に位置する。かつ折り畳み棒４は両端に軸着部４２と末端部４１がそれぞれ形成され、前記軸着部４２に通口２４の方向に開放された嵌入槽４３が形成される。
【００２６】
前記連結部材３の断面は二等辺三角形とすることができ、かつ連結部材３の同一挟角の両側面に枢設部２１に枢着される第１軸部３１と、軸着部４２に枢着される第２軸部３２がそれぞれ形成され、前記枢設部２１と第１軸部３１は軸棒７１により相互に枢着され、かつ前記軸着部４２と第２軸部３２は別の軸棒７２により相互に枢着される。
【００２７】
前記第１軸部３１と第２軸部３２の間に前記通口２４と嵌入槽４３に対応して連通される貫通溝３３が形成される。本実施例において、前記第１軸部３１と第２軸部３２は前記断面が二等辺三角形を呈する連結部材３底部両側の挟角箇所にそれぞれ位置する。
【００２８】
前記支持棒５はストリップ状とすることができ、ガイド通路２３内に摺動可能に設置され、かつ支持棒５上にストローク溝２５から外部に露出され、使用者が手で押し動かすことができる突出状のプッシュ部５１が形成される。
前記プッシュ部５１は実際にはボタンの形態としてもよく、かつ支持棒５はプッシュ部５１が使用者の手で押し動かされるのに伴い枢設部２１の方向または嵌着部２２の方向に移動することができる。
【００２９】
前記可撓性部材６は紐または可撓性帯材とすることができ、前記支持棒５と折り畳み棒４の軸着部４２近くの位置の間に連接される。
本実施例において、前記可撓性部材６は折り畳み棒４の嵌入槽４３内に連接され、かつ前記貫通溝３３、通口２４、ガイド通路２３を介して支持棒５前端に連接される。
【００３０】
さらに具体的な実施例において、本考案は次を含む。
【００３１】
前記第１軸部３１上方の連結部材３表面に折り畳み棒４が折り返される方向に向いた第１斜面３４が形成され、前記第２軸部３２上方の連結部材３表面に折り畳み棒４が折り返される方向に向いた第２斜面３５が形成され、前記貫通溝３３が前記第１斜面３４と第２斜面３５の間に連通される。
【００３２】
前記第１斜面３４と第２斜面３５は前記断面が二等辺三角形を呈する連結部材３の同一挟角の２つの側面を構成し、前記折り畳み棒４が折り返される方向は本実施例において折り畳み棒４の上方とすることができる。
【００３３】
前記枢設部２１上方の固定棒２端部表面に折り畳み棒４が折り返される方向に向いた第３斜面２８が形成され、かつ通口２４が第３斜面２８上に形成される。前記軸着部４２上方の折り畳み棒４端部表面に折り畳み棒４が折り返される方向に向いた第４斜面４４が形成され、かつ嵌入槽４３が第４斜面４４上に形成される。
【００３４】
これにより、前記第１斜面３４は連結部材３に伴い嵌着部２２方向に揺動して第３斜面２８に当接され（図１０、１２、１４参照）、前記第４斜面４４は折り畳み棒４に伴い嵌着部２２の方向に揺動して第２斜面３５に当接される。
【００３５】
前記連結部材３は本実施例において複数としてもよく、連結部材３、３ａを含み、そのうち１つの連結部材３の第１斜面３４が嵌着部２２の方向に揺動して別の連結部材３ａの第２斜面３５ａに当接される。
【００３６】
前記プッシュ部５１は前記枢設部２１または嵌着部２２の方向に移動でき、ストローク溝２５は嵌着部２２から離れた第１位置５０１と、嵌着部２２に近い第２位置５０２を備えている。
【００３７】
前記プッシュ部５１の両側に凸部５２がそれぞれ形成され、前記ストローク溝２５の第１位置５０１にガイド通路２３に垂直かつ連通された第１ガイド溝２５１が形成される。
また、ストローク溝２５の第２位置５０２にガイド通路２３に垂直かつ連通された第２ガイド溝２５２が形成され、前記凸部５２をガイド通路２３から前記第１ガイド溝２５１または第２ガイド溝２５２に嵌入させて、プッシュ部５１の上下移動をガイドすることができる。
【００３８】
前記支持棒５上のプッシュ部５１近くの位置に凹陥した弾性湾曲部５３が形成され、使用者が手でプッシュ部５１を押すと支持棒５末端を湾曲部５３に沿って弾性的に湾曲させて前記凸部５２を下に移動させ、前記第１ガイド溝２５１または第２ガイド溝２５２から離脱させることができる（図９、１１、１３参照）。
使用者が前記プッシュ部５１から手を離すと、支持棒５末端が前記湾曲部５３に沿って弾性的に元の状態を回復し、かつ前記凸部５２が上に移動されて前記第１ガイド溝２５１または第２ガイド溝２５２に進入させることができる。
【００３９】
上述の構造組成に基づき、本考案を実施することができる。
ホルダーの長さを調整したいときは、まず手の指で前記プッシュ部５１を押して支持棒５末端を湾曲部５３に沿って弾性的に湾曲させて凸部５２を下に移動させ、第２ガイド溝２５２から離脱させて凸部５２をガイド通路２３に進入させる。さらに手の指で前記プッシュ部５１と支持棒５を推して枢設部２１の方向に移動させ、凸部５２をガイド通路２３内で枢設部２１の方向に移動させる。
プッシュ部５１を第１位置５０１まで移動したとき、手の指のプッシュ部５１に対する圧力を解放すると、支持棒５末端が湾曲部５３に沿って弾性的に元の状態を回復し、凸部５２が上に移動されて第１ガイド溝２５１に進入し、前記前記支持棒５とプッシュ部５１が第１位置５０１に位置決めされる。
その間、前記支持棒５は枢設部２１の方向に移動され、通口２４を介して連結部材３ａ、３の貫通溝３３ａ、３３と折り畳み棒４の嵌入槽４３に順に進入し、かつ支持棒５の端部が貫通溝３３ａ、３３と嵌入槽４３底部の内壁に順に当接される。
そして、連結部材３ａ、３と折り畳み棒４が嵌着部２２の逆方向に順に揺動されて、支持棒５が貫通溝３３を経由して嵌入槽４３に挿入され、折り畳み棒４の揺動が制動されて、前記折り畳み棒４、連結部材３、３ａと固定棒２の間が直線状態となり、ホルダーを長くすることができる。
【００４０】
ホルダーを短く調整したいときは、隨意に前記プッシュ部５１を押して、支持棒５の末端を湾曲部５３に沿い弾性的に湾曲させて凸部５２を下に移動させ、第１ガイド溝２５１から離脱させて、凸部５２をガイド通路２３に進入させ、さらに手の指で押して前記プッシュ部５１と支持棒５を嵌着部２２の方向に移動させ、凸部５２をガイド通路２３内で嵌着部２２の方向に移動させる。
プッシュ部５１を第２位置５０２まで移動したとき、手の指のプッシュ部５１に対する圧力を解放すると、支持棒５の末端が湾曲部５３に伴い弾性的に元の状態を回復し、かつ凸部５２が上に移動されて第２ガイド溝２５２に進入し、前記前記支持棒５とプッシュ部５１が第２位置５０２に位置決めされる。
その間、前記可撓性部材６は支持棒５の前端に伴い嵌着部２２の方向に移動され、前記折り畳み棒４と連結部材３、３ａを嵌着部２２の方向に牽引して揺動させ、第４斜面４４が折り畳み棒４に伴い嵌着部２２の方向に揺動されて第２斜面３５に当接される。
そして、前記連結部材３の第１斜面３４が嵌着部２２の方向に揺動されて別の連結部材３ａの第２斜面３５ａに当接され、かつ前記別の連結部材３ａの第１斜面３４ａは連結部材３ａに伴い嵌着部２２の方向に揺動されて第３斜面２８に当接され、折り畳み棒４が嵌着部２２の方向に１８０度の挟角で揺動されて、前記折り畳み棒４、連結部材３、３ａ、固定棒２の間が重ね合わされた状態となり、ホルダーを短くすることができる。
【００４１】
このように、本考案のホルダーは支持棒５のプッシュ部５１を制御することで折り畳み棒４を自動的に１８０度の挟角で往復揺動させることができ、かつ折り畳み棒４の揺動角度を調整することでホルダーの長短を変え、折り畳み方式でモップのホルダーの長さを調整するという目的を達することができる。
【００４２】
一般的な使用状況において、前記固定棒２、連結部材３、３ａ、折り畳み棒４上には、房糸または複数の布片を備えた払拭体８（図１５、図１６参照）を取り付けることができる。前記払拭体８は前記固定棒２、連結部材３、３ａと折り畳み棒４上に取り付けられるカバー体８０を備え、かつカバー体８０の底面に房糸層８１または布片層が設けられる。
【００４３】
折り畳み棒４を調整してホルダーを長くしたときは、前記房糸層８１または布片層が前記固定棒２、連結部材３、３ａ、折り畳み棒４の一側の表面に位置し、モップの長さを大幅に増加し、かつモップの厚みを減少できる。
このため、払拭体で大きな面積の表面を清掃する際に有利であると同時に、房糸層８１または布片層を前記固定棒２、連結部材３、３ａ、折り畳み棒４とともに狭く細い隙間に入り込ませて有利に清掃を行うことができる。
【００４４】
折り畳み棒４を調整してホルダーを短くしたときは、前記房糸層８１または布片層がホルダーの両側表面に位置し、ホルダーの四周を房糸８１または複数の布片で覆い、モップの長さを大幅に短くし、かつモップの厚みを増加できる。このため、払拭体で複雑な表面を清掃する際に有利であり、かつ各種死角内の埃を有利に清掃することができる。
【００４５】
以上のように、本考案は折り畳み棒４を自動的に往復揺動させ、ホルダーをまっすぐに伸ばしたり折り畳んだりしてモップのホルダー長さを変えることができる。そして、前記固定棒２、連結部材３、３ａ、折り畳み棒４は払拭体８を取り付けてモップを構成するために用いることができ、大面積及び複雑な表面の清掃に有利であるとともに、各種死角内の埃を清掃したり、狭く細い隙間に入り込ませて清掃することもできる。
このため、従来のモップが大きな面積の表面と複雑な表面を清掃する能力を兼ね備えることが困難である問題、および各種の死角の埃の清掃と狭く細い隙間に入り込ませた清掃を行う能力を兼ね備えることが困難である問題を克服し、使用上の利便性を向上することができる。
さらに、払拭体が汚れた後は、前記ハンドル、固定棒、連結部材、折り畳み棒をとっておき、新しい払拭体に交換すればよいため、環境保護の要求も満たすことができる。
【実施例２】
【００４６】
このほか、前記折り畳み棒４ａの末端部４１ａは前方に延伸された２つの相互に平行な分岐棒４１１ａを備え、前記カバー体８０ａが内部に収容空間８２ａを備え、前記収容空間８２ａの一端の前記カバー体８０ａ端部に前記折り畳み棒４ａ、連結部材３、３ａ、固定棒２を出し入れするための取付口８３ａが形成される。前記収容空間８２ａの他端に２つの前記分岐棒４１１ａを挿入するための分岐ポケット８４ａが間を隔てて形成される。
【００４７】
前記分岐棒４１１ａは板片の形態としてもよく、可撓性を備え、前記カバー体８０ａ上の前記分岐棒４１１ａの間に対応する位置をホットプレスして複数のヒートシール点８５ａを形成し、前記分岐ポケット８４ａの間を隔てる長細い形状の仕切り部８６ａを構成することができる。
【００４８】
前記折り畳み棒４ａ、連結部材３、３ａ、固定棒２を取付口８３ａから収容空間８２ａに挿入した後、前記仕切り部８６ａが前記分岐棒４１１ａの間に配置され、かつ前記分岐棒４１１ａが前記分岐ポケット８４ａ内にそれぞれ挿入される。前記分岐棒４１１ａと分岐ポケット８４ａの内壁が緊密に組み合わされた形態を呈し、前記分岐棒４１１ａが仕切り部８６ａを挟み込んで保持し、カバー体８０ａをホルダー上に取り付けたときの安定性が大幅に向上される。その他、部材の構成と実施方式は上述の実施例と同じである。
【００４９】
これに基づき、前記分岐棒４１１ａ、分岐ポケット８４ａ、仕切り部８６ａの設計により、カバー体８０ａが前記折り畳み棒４ａ、連結部材３、３ａ、固定棒２上から脱落するのを防止できるほか、板片形態の前記分岐棒４１１ａが折り畳み棒４ａの弾性を高め、折り畳み棒４ａの前端を狭く細い隙間に入り込ませて埃を清掃するときにより有利である。
【符号の説明】
【００５０】
１            ハンドル
１１          連結部
１２          吊り下げ孔
２            固定棒
２１          枢設部
２２          嵌着部
２３          ガイド通路
２４          通口
２５          ストローク溝
２５１        第１ガイド溝
２５２        第２ガイド溝
２６          収容部
２７          端口
２８          第３斜面
３、３ａ      連結部材
３１          第１軸部
３２          第２軸部
３３、３３ａ  貫通溝
３４、３４ａ  第１斜面
３５、３５ａ  第２斜面
４、４ａ      折り畳み棒
４１、４１ａ  末端部
４１１ａ      分岐棒
４２          軸着部
４３          嵌入槽
４４          第４斜面
５            支持棒
５０１        第１位置
５０２        第２位置
５１          プッシュ部
５２          凸部
５３          湾曲部
６            可撓性部材
７１、７２    軸棒
８            払拭体
８０、８０ａ  カバー体
８１          房糸層
８２ａ        収容空間
８３ａ        取付口
８４ａ        分岐ポケット
８５ａ        シール点
８６ａ        仕切り部
【図１】
0003183849.tif 000003
【図２】
0003183849.tif 000004
【図３】
0003183849.tif 000005
【図４】
0003183849.tif 000006
【図５】
0003183849.tif 000007
【図６】
0003183849.tif 000008
【図７】
0003183849.tif 000009
【図８】
0003183849.tif 000010
【図９】
0003183849.tif 000011
【図１０】
0003183849.tif 000012
【図１１】
0003183849.tif 000013
【図１２】
0003183849.tif 000014
【図１３】
0003183849.tif 000015
【図１４】
0003183849.tif 000016
【図１５】
0003183849.tif 000017
【図１６】
0003183849.tif 000018
【図１７】
0003183849.tif 000019
【図１８】
0003183849.tif 000020